(57)【特許請求の範囲】
【請求項１】
平型導体の挿入口と、前記平型導体の挿入側端部と対向する奥壁部とを有するハウジングと、
前記ハウジングの内部で前記平型導体と導通接触し、前記奥壁部の外方に突出して基板と接続する基板接続部を有する端子と、
前記ハウジングに対して回動可能に軸支されており、前記平型導体の係止縁に回動により係止して前記平型導体を前記ハウジングから抜け止めする係止部を有するロック部材とを備えるコネクタにおいて、
前記ロック部材は、前記端子の前記基板接続部の上方に配置され前記基板接続部に向けて押圧される操作部を有し、
前記操作部が前記端子の前記基板接続部と前記ハウジングの上面との間に位置するコネクタ。
【請求項２】
平型導体の挿入口と、前記平型導体の挿入側端部と対向する奥壁部とを有するハウジングと、
前記ハウジングの内部で前記平型導体と導通接触し、前記奥壁部の外方に突出して基板と接続する基板接続部を有する端子と、
前記ハウジングに対して回動可能に軸支されており、前記平型導体の係止縁に回動により係止して前記平型導体を前記ハウジングから抜け止めする係止部を有するロック部材とを備えるコネクタにおいて、
前記ロック部材は、前記端子の前記基板接続部の上方に配置され前記基板接続部に向けて押圧される操作部を有し、
前記ハウジングが、前記操作部を上方に付勢する支持ばね部を備えるコネクタ。
【請求項３】
平型導体の挿入口と、前記平型導体の挿入側端部と対向する奥壁部とを有するハウジングと、
前記ハウジングの内部で前記平型導体と導通接触し、前記奥壁部の外方に突出して基板と接続する基板接続部を有する端子と、
前記ハウジングに対して回動可能に軸支されており、前記平型導体の係止縁に回動により係止して前記平型導体を前記ハウジングから抜け止めする係止部を有するロック部材とを備えるコネクタにおいて、
前記ロック部材は、前記端子の前記基板接続部の上方に配置され前記基板接続部に向けて押圧される操作部を有し、
前記ロック部材は前記係止部を支持する腕部を有しており、前記係止部は前記ハウジングに収容されており、前記係止部が上方向に変位することで前記腕部が前記ハウジングの上面から突出するコネクタ。
【請求項４】
平型導体の挿入口と、前記平型導体の挿入側端部と対向する奥壁部とを有するハウジングと、
前記ハウジングの内部で前記平型導体と導通接触し、前記奥壁部の外方に突出して基板と接続する基板接続部を有する端子と、
前記ハウジングに対して回動可能に軸支されており、前記平型導体の係止縁に回動により係止して前記平型導体を前記ハウジングから抜け止めする係止部を有するロック部材とを備えるコネクタにおいて、
前記ロック部材は、前記端子の前記基板接続部の上方に配置され前記基板接続部に向けて押圧される操作部を有し、
前記ロック部材は、下端側に前記平型導体の挿抜方向における手前側から奥側に向けて、上側に傾斜する傾斜部を有するコネクタ。
【発明の詳細な説明】
【技術分野】
【０００１】
本発明は、接続対象物を固定するロック部材を備えるコネクタに関する。
【背景技術】
【０００２】
基板に実装されるコネクタとしては、接続対象物との導通接続状態を維持するために接続対象物を固定するロック部材を備えるものが知られている。こうしたロック部材はコネクタのハウジングに取り付けられており、嵌合室に接続対象物を挿入するだけで接続対象物の固定が可能となっている。また、ロック部材を押圧するなどの簡単な操作で接続対象物への係止を解除することができるため、接続対象物をコネクタから容易に抜去することができる（例として特許文献１参照）。
【先行技術文献】
【特許文献】
【０００３】
【特許文献１】特開２０１４−２２２１４号公報
【発明の概要】
【発明が解決しようとする課題】
【０００４】
ところで近年、スマートフォンや車載用電子機器等、さまざまな分野での電子機器の小型化が進んでいる。よって、スペースを有効活用するためにこうした電子機器に搭載される各部品についても低背化が求められている。
【０００５】
上記コネクタが備えるロック部材としては、ハウジングの天面部のさらに上側に配置されるものがある。こうしたロック部材をハウジングの天面部に向けて押圧することでロックを解除することができる。天面部との間にはロック部材が変位するための変位空間を設ける必要があるため、コネクタの底面部からロック部材の上部までの高さがより高くなり、コネクタが全体として高背化してしまう。そのため、従来のロック部材を備えるコネクタでは、低背化に限界がある。
【０００６】
以上のような従来技術を背景になされたのが本発明である。その目的は、接続対象物を固定するロック部材を備える低背のコネクタを提供することにある。
【課題を解決するための手段】
【０００７】
上記目的を達成すべく、本発明は以下のように構成される。
【０００８】
即ち本発明は、平型導体の挿入口と、平型導体の挿入側端部と対向する奥壁部とを有するハウジングと、ハウジングの内部で平型導体と導通接触し、奥壁部の外方に突出して基板と接続する基板接続部を有する端子と、ハウジングに対して回動可能に軸支されており、前記平型導体の係止縁に回動により係止して平型導体をハウジングから抜け止めする係止部を有するロック部材とを備えるコネクタについて、前記ロック部材は、端子の基板接続部の上方に配置され基板接続部に向けて押圧される操作部を有することを特徴とするコネクタを提供する。
【０００９】
ロック部材の操作部が、ハウジングの奥壁部から突出している端子の基板接続部の上方に配置されることで、そうした操作部が例えばハウジングの上部に配置される場合と比較して、低背のコネクタとすることができる。また、基板接続部よりもさらに平型導体の挿入方向奥側に配置される場合と比較して、コネクタ全体を前記挿入方向で小型化することができる。さらにこうした操作部が基板接続部に向けて押圧されるため、操作部が変位するための変位空間をハウジングの上側に配置する必要がない。よって、コネクタを全体としてより低背にすることができる。
【００１０】
前記本発明の操作部が前記端子の基板接続部とハウジングの上面との間に位置するものとすることができる。
【００１１】
操作部がハウジングの上面よりも上側に突出しないようにすることで、より確実にコネクタを低背にすることができる。
【００１２】
前記本発明のハウジングが、前記操作部を上方に付勢する支持ばね部を備えるものとすることができる。
【００１３】
こうすることで、操作部を基板接続部の側に押圧したあと、支持ばね部によって操作部を押圧前の位置に戻すことができる。よって、作業者が操作部を操作する作業を省略することができる。
【００１４】
前記本発明のロック部材は前記係止部を支持する腕部を有しており、前記係止部は前記ハウジングに収容されており、係止部が上方向に変位することで前記腕部が前記ハウジングの上面から突出するものとすることができる。
【００１５】
こうすることで、接続対象物をハウジングに挿入する際に係止部が平型導体から押圧されて上側に変位して、腕部を前記ハウジングの上面から突出させることができる。またその後、係止部が係止縁に係止する際に下側に変位することで腕部が元の位置に戻り、突出部分が無くなる構成とすることで、作業者がこうした突出部分の有無を目視して、平型導体の係止が完了したことを確認することができる。これにより、平型導体のハウジングに対する半嵌合の発生を抑制できる。
【００１６】
前記本発明のロック部材は、下端側に接続対象物の挿抜方向における手前側から奥側に向けて、上側に傾斜する傾斜部を有するものとすることができる。
【００１７】
こうすることで、操作部が基板接続部の側に押圧された場合であっても、ロック部材の一部が基板などの他の部材に接触して十分に回動できなくなるといった事態を生じ難くすることができる。
【発明の効果】
【００１８】
本発明のコネクタによれば、平型導体の挿抜を容易に可能とするロック部材を備えつつも低背のコネクタを提供することができる。よって、搭載される電子機器の低背化に寄与することができる。
【図面の簡単な説明】
【００１９】
【図１】一実施形態のコネクタの正面、平面、右側面を示す斜視図。
【図２】図１のコネクタの背面、平面、左側面を示す斜視図。
【図３】図１のコネクタの平面図。
【図４】図１のコネクタの底面図。
【図５】図１のコネクタの正面図。
【図６】図１のコネクタの背面図。
【図７】図１のコネクタの右側面図。
【図８】図１のロック部材の正面、平面、右側面を示す斜視図。
【図９】図８のロック部材の背面、底面、左側面を示す斜視図。
【図１０】図１のコネクタに平型導体を挿入する前の状態を示す説明図。
【図１１】図１０のコネクタに平型導体を挿入することでロック部材が上方に変位している状態を示す説明図。
【図１２】図１１のコネクタへの平型導体の挿入が完了した状態を示す説明図。
【図１３】図１１の状態でロック部材の係止部が平型導体によって上側に押し上げられた状態を示す説明断面図。
【図１４】図１２の状態でロック部材の係止部による平型導体の係止縁への係止が完了した状態を示す説明断面図。
【図１５】図１２の矢示ＳＡ−ＳＡ断面図。
【図１６】図１１の状態で端子が平型導体と導通接触する前の状態を示す説明断面図。
【図１７】図１２の状態で端子が平型導体と導通接触している状態を示す説明断面図。
【図１８】図１１の状態でロック部材の当接部が支持ばね部を下向きに押圧している状態を示す説明断面図。
【図１９】図１２の状態で支持ばね部がロック部材の当接部を上向きに押圧している状態を示す説明断面図。
【発明を実施するための形態】
【００２０】
以下、本発明のコネクタの一実施形態について図面を参照しつつ説明する。
【００２１】
本明細書、特許請求の範囲、図面では、コネクタ１の端子４の配列方向に沿う幅方向をＸ方向、平型導体２の挿抜方向に沿う前後方向をＹ方向、高さ方向をＺ方向とする。また、高さ方向Ｚにおける平面側を「上側」とし、底面側を「下側」とする。さらに、前後方向Ｙにおいて接続対象物の挿入方向手前側を「前」とし、挿入方向奥側を「後」とする。こうした上下、前後の特定は本発明のコネクタの実装方向、使用方向を限定するものではない。なお、コネクタ１について、左側面図は右側面図とは左右対称として表されるため、記載を省略する。
【００２２】
実施形態〔図１〜図１９〕：
コネクタ１は、基板Ｐに実装されて、基板Ｐの基板パターンと平型導体２とを導通接続するものである。本実施形態では特に基板Ｐに対して平置きして、平型導体２を基板Ｐの表面に沿って挿入する。このコネクタ１は、図１〜図７で示すように、ハウジング３と、複数の端子４と、ロック部材５と、支持ばね部６とを備える。
【００２３】
また本実施形態では「接続対象物」の一例としてＦＦＣ（Ｆｌｅｘｉｂｌｅ  Ｆｌａｔ  Ｃａｂｌｅ）やＦＰＣ（Ｆｌｅｘｉｂｌｅ  Ｐｒｉｎｔｅｄ  Ｃｉｒｃｕｉｔｓ）等の平型導体２を示して説明する。この平型導体２は、図１５で示すように、幅方向Ｘにおける両端側にロック用の切欠き部２ａを１つずつ有する。切欠き部２ａは係止縁２ａ１を有しており、後述する係止部５ｄ１が係止縁２ａ１に係止する。また、こうした２つの切欠き部２ａは前後方向Ｙにおける同じ位置に形成されている。
【００２４】
〔ハウジング〕
ハウジング３は絶縁性の樹脂でなり、略直方体状に形成される。こうしたハウジング３は図１〜図７で示すように、天壁部３ａと、底壁部３ｂと、側壁部３ｃと、奥壁部３ｄとを有している。また、ハウジング３の内部には、天壁部３ａと、底壁部３ｂと、２つの側壁部３ｃと、奥壁部３ｄとによって形成されて平型導体２を収容する嵌合室３ｅと、嵌合室３ｅに平型導体２を挿入する挿入口３ｆとを有する。
【００２５】
天壁部３ａは、Ｘ−Ｙ平面を有する。天壁部３ａの後側には凹部３ａ１が形成されており、凹部３ａ１からは端子４の基板接続部４ａが露出している。天壁部３ａの上面３ａ２であって幅方向Ｘにおける両側には、スリット３ａ３が１つずつ設けられている。スリット３ａ３は、前後方向Ｙに沿う切込みとして形成されており、嵌合室３ｅと連通する。このスリット３ａ３には、後述するロック部材５のロック片５ｄを収容する。このように天壁部３ａに、ロック片５ｄを収容するスリット３ａ３を設けることで、例えばハウジング３の内部にそれらの収容空間を設ける場合と比較してコネクタ１を全体として低背化することができる。また、ロック片５ｄは、こうしたスリット３ａ３の内部で上下に変位するため、ハウジング３自体にそうしたロック片５ｄが上下に変位するための変位空間を設ける必要がない。よって、コネクタ１全体をより低背とすることができる。
【００２６】
底壁部３ｂは、天壁部３ａに対向して配置される。底壁部３ｂの後側には凹部３ｂ１が形成されており、凹部３ｂ１からは端子４の基板接続部４ａが露出している。こうした底壁部３ｂは、コネクタ１が基板Ｐに実装された状態で基板Ｐの表面と対向する。
【００２７】
側壁部３ｃは、コネクタ１の幅方向Ｘにおける両側に１つずつ配置されており、天壁部３ａ及び底壁部３ｂと繋がる。側壁部３ｃには、幅方向Ｘに沿って突出する支持部３ｃ１が設けられている。この支持部３ｃ１は後述するロック部材５の取付孔５ａ１に挿入される。また、側壁部３ｃには溝部３ｃ２が形成されている。この溝部３ｃ２には支持ばね部６のハウジング固定部６ａが圧入されて固定される。
【００２８】
奥壁部３ｄは、ハウジング３における後側に配置される。奥壁部３ｄには端子４の固定穴（図示略）が複数設けられている。また、挿入口３ｆはハウジング３における前端に配置されており、嵌合室３ｅと連通する。挿入口３ｆから挿入された平型導体２は、嵌合室３ｅの内部で端子４と導通接触する。
【００２９】
〔端子〕
端子４は、導電性の金属板を打ち抜いて形成される。この端子４は、図１６，図１７で示すように、一端側から順に基板接続部４ａと、固定部４ｂと、接触部４ｃとを有する。基板接続部４ａは基板Ｐに対して半田付けされて固定される。固定部４ｂは基板接続部４ａに繋がって設けられ、ハウジング３の奥壁部３ｄに設けられる固定穴（図示略）に圧入されて固定される。接触部４ｃは固定部４ｂに繋がって設けられ、接触部４ｃが有する接点部４ｃ１が嵌合室３ｅの内壁に設けられるスリット（図示略）から嵌合室３ｅの内部に突出する。接触部４ｃは固定部４ｂから２本ずつ伸長して形成されており、平型導体２に対して上側及び下側から挟み込むように導通接触することができる。このように本実施形態の「接続対象物」である平型導体２は、表裏両面に導電部（図示略）を有しており、端子４は各導電部と導通接触する接点部４ｃ１を上側及び下側の両方に有する。しかしこうした構成は必須ではなく、平型導体２が導電部を表面または裏面のいずれか一方にのみ有する場合には、その導電部に対応する上側又は下側の何れか一方の接点部４ｃ１のみを有していても良い。
【００３０】
〔ロック部材〕
ロック部材５は、平型導体２をコネクタ１から抜けないように係止し、平型導体２の接続信頼性を向上させるためのものである。こうしたロック部材５は図８，図９で示すように、金属片を折り曲げて構成されており、ハウジング固定部５ａと、カバー部５ｂと、連結部５ｃと、ロック片５ｄと、操作部５ｅとを有する。
【００３１】
ハウジング固定部５ａは、ロック部材５の幅方向Ｘにおける両端側に１つずつ設けられている。また、ハウジング固定部５ａはＹ−Ｚ平面を有しており、その略中央には取付孔５ａ１を有する。取付孔５ａ１には、ハウジング３の側壁部３ｃに設けられる支持部３ｃ１が挿入されている。こうしてロック部材５はハウジング３に対して軸支されている。ハウジング固定部５ａは支持部３ｃ１が取付孔５ａ１に挿入された状態で、２つの支持部３ｃ１を繋いだ軸を回転軸Ａとして回動することができる。本実施形態のコネクタ１は、ハウジング３が突出形状の支持部３ｃ１を有しており、ロック部材５が貫通孔でなる取付孔５ａ１を有する。しかし、ロック部材５がハウジング３に軸支される構成であれば上記に限定されない。すなわち、ハウジング３がそうした取付孔を有し、ロック部材５が取付け用の突出形状を有していても良い。
【００３２】
また、ハウジング固定部５ａの下端には、前側から後側に向けて、上方向に傾斜する傾斜部５ａ２が設けられている。
【００３３】
カバー部５ｂは、ハウジング固定部５ａに繋がる板状部分である。このカバー部５ｂは、ハウジング３の側壁部３ｃが有する支持ばね部６を上側から覆うように形成されている。カバー部５ｂの下面であって、ハウジング３の支持部３ｃ１よりも前後方向Ｙにおける後側には、後述する支持ばね部６から押圧される当接部５ｂ１が設けられる。
【００３４】
連結部５ｃは、カバー部５ｂに繋がり、Ｙ−Ｚ平面を有する板状部でなる。連結部５ｃの下端には、ハウジング固定部５ａと同様に前側から後側に向けて、上方向に傾斜する傾斜部５ｃ１が設けられている。
【００３５】
ロック片５ｄは、連結部５ｃと繋がる片持ち梁状として形成されており、本実施形態のロック片５ｄは特に前方向に伸長する。ロック片５ｄは、腕部５ｄ３と、腕部５ｄ３の先端から下向きに突出する係止部５ｄ１が設けられている。また、係止部５ｄ１は山型状でなり、その先端側には下側から上側に向けて傾斜するガイド縁５ｄ２が形成されている。各ロック片５ｄが係止部５ｄ１を１つずつ有するため、ロック部材５は全体として２つの係止部５ｄ１を有する。これらの係止部５ｄ１，５ｄ１は前後方向Ｙにおける同じ位置に配置されている。ロック部材５が回転軸Ａを中心として回動すると、係止部５ｄ１は上下方向で変位する。
【００３６】
操作部５ｅは連結部５ｃの後側に設けられ、幅方向Ｘに沿って伸長する板状片でなる。操作部５ｅの上部には、Ｘ−Ｙ平面に沿う面であり押圧作業をするための操作面５ｅ１が設けられる。また、１つの操作部５ｅが２つの連結部５ｃに連結して形成されるため、操作部５ｅを操作することで２つの係止部５ｄ１によるロックを解除することができる。
【００３７】
さらに操作部５ｅはハウジング３の奥壁部３ｄよりも後側であって、凹部３ａ１，３ｂ１から露出する端子４の基板接続部４ａの上方に配置される。こうした配置とすることで、例えば操作部５ｅをハウジング３の天壁部３ａの上側に配置する場合と比較して、コネクタ１を全体として低背とすることができる。また、操作部５ｅを基板接続部４ａのさらに後方に配置する場合と比較して、コネクタ１を前後方向Ｙで小型化することができる。さらに、ハウジング３に凹部３ａ１，３ｂ１を設けることで、ロック片５ｄの操作部５ｅを配置するスペースを確保することができる。よって、例えばこうした凹部３ａ１，３ｂ１を設けずにハウジング３の後方に操作部５ｅを配置する場合と比較して、コネクタ１を前後方向Ｙで小型化することができる。
【００３８】
操作面５ｅ１はハウジング３の天壁部３ａの上面３ａ２よりも下側に配置されている。操作部５ｅを基板接続部４ａの側に向けて高さ方向Ｚに沿って押圧することで、ロック部材５を回動させることができる。操作部５ｅと基板接続部４ａの間には、押圧操作の際に操作部５ｅの変位を阻害する構造が設けられないため、操作部５ｅを十分に押圧操作することができる。また、基板接続部４ａと天壁部３ａの上面３ａ２との間で操作部５ｅを高さ方向Ｚで変位させることで、ハウジング３の上側やハウジング３の内部に操作部５ｅの変位空間を設ける場合と比較して、コネクタ１を全体として低背とすることができる。
【００３９】
〔支持ばね〕
支持ばね部６は金属板を打ち抜いて形成される。特に本実施形態の支持ばね部６は、図１８，図１９で示すように、全体として略Ｕ字状をなし、一端側からハウジング固定部６ａと、ばね部６ｂと、押圧片６ｃとを有する。ハウジング固定部６ａは、ハウジング３の側壁部３ｃが有する溝部３ｃ２に圧入されて固定されている。そのため、本実施形態のコネクタ１は支持ばね部６を２つ備える。
【００４０】
ばね部６ｂは前後方向Ｙにおける操作部５ｅの側に向けて突出する略Ｕ字状に屈曲して形成されている。ばね部６ｂは板面に沿って弾性変形するため、より強い復元力を発揮してロック部材５を支持することができる。
【００４１】
押圧片６ｃは弾性片部６ｃ１と、弾性片部６ｃ１に弾性支持される押圧部６ｃ２とを有する。弾性片部６ｃ１はばね部６ｂから伸長する片持ち梁状でなる。押圧部６ｃ２は、ロック部材５のカバー部５ｂが有する当接部５ｂ１の真下に配置される。押圧部６ｃ２は上側に突出する山状でなり、当接部５ｂ１に対して上向きに押圧接触する。
【００４２】
〔平型導体の挿入方法の説明〕
上記のように押圧片６ｃの押圧部６ｃ２はカバー部５ｂの当接部５ｂ１に対して上向きに押圧接触している。また、前後方向Ｙにおいて支持部３ｃ１よりも前側には係止部５ｄ１が配置され、後側には操作部５ｅが配置される。そのためロック部材５は、図１０〜図１２で示すように、左右の支持部３ｃ１を繋いだ回転軸Ａを中心としてシーソーのように回動する。すなわち、支持部３ｃ１よりも後側に設けられる操作部５ｅやカバー部５ｂが上側に位置している状態で、支持部３ｃ１よりも前側に設けられる係止部５ｄ１や腕部５ｄ３の先端側は下側に位置する。反対に操作部５ｅやカバー部５ｂが下側に位置している状態で、係止部５ｄ１や腕部５ｄ３の先端側が上側に位置する。
【００４３】
嵌合室３ｅに係止部５ｄ１が入り込んでいる状態で平型導体２を嵌合室３ｅに挿入すると、平型導体２の先端部２ｂがロック片５ｄの係止部５ｄ１に当接する（図１３参照）。係止部５ｄ１は前側にガイド縁５ｄ２を有しており、平型導体２の先端部２ｂがガイド縁５ｄ２を滑るように移動しつつ、係止部５ｄ１を上側に持ち上げる。これにより平型導体２は係止部５ｄ１によって下向きに押圧されつつその下方を通過する。その状態で、カバー部５ｂにおいて支持部３ｃ１よりも後側にある当接部５ｂ１は、係止部５ｄ１とは反対に下側に向けて変位している。そのため、当接部５ｂ１に当接している支持ばね部６は、下側に向けて押圧されて圧縮されるように弾性変形する（図１８参照）。こうして押圧部６ｃ２から当接部５ｂ１に対して上側に向かう復元力が掛かった状態となる。
【００４４】
こうして係止部５ｄ１が平型導体２によって上側に変位している状態で、ロック片５ｄが全体として上側に変位する。その際、ロック片５ｄの腕部５ｄ３の先端側がハウジング３の天壁部３ａに設けられるスリット３ａ３から上側に向けて突出する。
【００４５】
この状態において、支持ばね部６のばね部６ｂの復元力が働くことで押圧部６ｃ２はカバー部５ｂの当接部５ｂ１に対して上向きに強く押圧接触している。そのため、平型導体２を嵌合室３ｅの奥まで挿入すると、支持ばね部６のばね力の作用によってロック片５ｄが回動して、係止部５ｄ１が平型導体２の上側から下向き方向で切欠き部２ａに入り込む（図１４，図１５，図１９参照）。その際、作業者は手元でクリック感を得ることができるため、平型導体２の嵌合作業が完了したことを確認できる。また、ハウジング３の天壁部３ａの上側に突出していた腕部５ｄ３先端側が下側に下がって、スリット３ａ３の内部に収容される。こうした構成とすることで、平型導体２の切欠き部２ａにロック片５ｄの係止部５ｄ１が入り込んでロックされ、嵌合作業が完了したことを目視でも確認することができる。よって、半嵌合のまま使用されて導通不良を生じるといった事態の発生を抑えることができる。
【００４６】
この状態で平型導体２を嵌合室３ｅから引き抜こうとすると、係止部５ｄ１が係止縁２ａ１に係止する。嵌合作業が完了した状態でも、支持ばね部６の押圧部６ｃ２がカバー部５ｂの当接部５ｂ１に対して押圧接触していることで、係止部５ｄ１が下向きに付勢しているため、平型導体２が強く係止されている。よって、平型導体２をハウジング３に対して確実に抜け止めすることができる。
【００４７】
〔平型導体の抜去方法の説明〕
平型導体２をハウジング３から抜去する際には、操作部５ｅを下側に向けて押圧する。操作部５ｅの操作面５ｅ１は、上述のようにハウジング３の天壁部３ａの上面３ａ２よりも下側に配置されている。よって作業者は、例えばコネクタ１が微小な大きさであったり、周りに実装部品が密集していたりするといった理由により目視が困難な環境で使用した場合であっても、手の感覚だけでロック部材５の操作部５ｅとハウジング３の天壁部３ａとを区別することができる。
【００４８】
上述のように、操作部５ｅを操作することで、ロック部材５は回転軸Ａを中心として回動する。ハウジング固定部５ａの下端には傾斜部５ａ２が設けられており、連結部５ｃには傾斜部５ｃ１が設けられているため、それらが下側に下がった場合であってもハウジング固定部５ａや連結部５ｃが基板Ｐに接触して回動を阻害されるといった事態を生じ難い。これにより、ロック部材５が十分に回動することができる。また、こうした傾斜部５ａ２，５ｃ１を設けることで、ハウジング固定部５ａが回動する際に基板Ｐに接触しないようにするために、ロック部材５をハウジング３における高い位置に取り付けて基板Ｐから離間させるといった必要がない。よって、コネクタ１全体をより低背化することができる。
【００４９】
こうして係止部５ｄ１が上側に変位して平型導体２の切欠き部２ａから離間することで、ロックが解除される。この状態で、支持ばね部６はカバー部５ｂによって下側に向けて押圧されて、圧縮されるように弾性変形する（図１８参照）。その後、支持ばね部６の復元力により、押圧部６ｃ２がロック部材５のカバー部５ｂの当接部５ｂ１に対して上側に向けて押圧した状態となる（図１９参照）。
【００５０】
ロックが解除された状態で平型導体２をコネクタ１の嵌合室３ｅから抜去する。その後、操作部５ｅの押圧を止めると、ロック部材５のカバー部５ｂが支持ばね部６によって上側に向けて持ち上げられる。これと同時に、ロック片５ｄが下側に下がってハウジング３の天壁部３ａのスリット３ａ３の内部に収容され、係止部５ｄ１が嵌合室３ｅの内部の位置に戻る。こうしたロック片５ｄの回動は、作業者の操作によることなく、支持ばね部６によって行われる。
【００５１】
上記のように、本実施形態によればロック部材５を備えつつ低背のコネクタ１を実現することができる。よって、平型導体２を着脱可能で高い利便性を発揮するとともに、搭載される電子機器等の小型化に寄与するコネクタ１とすることができる。
【００５２】
変形例：
前記実施形態では、ロック部材５の２つのロック片５ｄが有する係止部５ｄ１が、互いに前後方向Ｙにおける同じ位置に配置される例を示した。これに対し、ロック部材５が有する係止部５ｄ１が前後方向Ｙで異なる位置に配置されるものとすることができる。この場合、平型導体２としては、幅方向Ｘにおける両端側に設けられる切欠き部２ａが前後方向Ｙで異なる位置であって、係止部５ｄ１と同じ位置に配置されるものを使用する。上記のように前後方向Ｙで異なる位置に切欠き部２ａを有する平型導体２を使用することで、平型導体２を表裏で誤った向きで挿入することを防止することができる。コネクタ１が有する端子４が、接点部４ｃ１を上側又は下側の何れか一方にのみ有する場合には、こうした構成が特に有効である。
【００５３】
前記実施形態では、支持ばね部６がハウジング３の幅方向Ｘにおける両端側に１つずつ、計２つ備える例を示した。これに対して、コネクタ１が支持ばね部６を１つだけ備えるものとしても良い。例えば幅方向Ｘにおける中央に配置することができる。この場合には、操作部５ｅの幅方向Ｘにおける中央に当接部を形成し、この当接部が押圧部６ｃ２によって上側に押圧されることでロック片５ｄが下側に下がって平型導体２に対するロックがなされるものとしても良い。こうした構成とすることで、支持ばね部６を複数設ける場合と比較して、部品点数を減らすことができる。また、より単純な構造のコネクタ１とすることができる。
【００５４】
前記実施形態では、金属板の板面と平行な方向に沿って弾性変形する支持ばね部６として金属板を打ち抜いた板バネでなる例を示した。これに対して支持ばね部６としては、ロック部材５を回動させることができるものであれば他の形状でも良い。よって、例えば板厚方向に沿って弾性変形する板ばねとして形成することもできる。また、支持ばね部６を巻ばねとして形成することもできる。
【符号の説明】
【００５５】
１      コネクタ（第１実施形態）
２      平型導体
２ａ    切欠き部
２ａ１  係止縁
２ｂ    先端部
３      ハウジング
３ａ    天壁部
３ａ１  凹部
３ａ２  上面
３ａ３  スリット
３ｂ    底壁部
３ｂ１  凹部
３ｃ    側壁部
３ｃ１  支持部
３ｃ２  溝部
３ｄ    奥壁部
３ｅ    嵌合室
３ｆ    挿入口
４      端子
４ａ    基板接続部
４ｂ    固定部
４ｃ    接触部
４ｃ１  接点部
５      ロック部材
５ａ    ハウジング固定部
５ａ１  取付孔
５ａ２  傾斜部
５ｂ    カバー部
５ｂ１  当接部
５ｃ    連結部
５ｃ１  傾斜部
５ｄ    ロック片
５ｄ１  係止部
５ｄ２  ガイド縁
５ｄ３  腕部
５ｅ    操作部
５ｅ１  操作面
６      支持ばね部
６ａ    ハウジング固定部
６ｂ    ばね部
６ｃ    押圧片
６ｃ１  弾性片部
６ｃ２  押圧部
Ｐ      基板
【図１】
0006675232.tif 000002
【図２】
0006675232.tif 000003
【図３】
0006675232.tif 000004
【図４】
0006675232.tif 000005
【図５】
0006675232.tif 000006
【図６】
0006675232.tif 000007
【図７】
0006675232.tif 000008
【図８】
0006675232.tif 000009
【図９】
0006675232.tif 000010
【図１０】
0006675232.tif 000011
【図１１】
0006675232.tif 000012
【図１２】
0006675232.tif 000013
【図１３】
0006675232.tif 000014
【図１４】
0006675232.tif 000015
【図１５】
0006675232.tif 000016
【図１６】
0006675232.tif 000017
【図１７】
0006675232.tif 000018
【図１８】
0006675232.tif 000019
【図１９】
0006675232.tif 000020